(57)【要約】  トランシーバ・トランスポンダシステムはトランシーバ発振回路（２，３）を備えたトランシーバ（１）と、トランスポンダ発振回路（１１，１２）を備えた少なくとも１つのトランスポンダ（１０）と、エネルギ蓄積部（１３）とを包含する。トランシーバ（１）およびトランシーバ発振回路（２，３）は、トランシーバ発振回路（２，３）が少なくとも１つの充電期間（Ｔ＿Ｌ）にわたり所定の周波数でもって励振されるように構成されている。トランスポンダ（１０）、トランスポンダ発振回路（１１，１２）およびエネルギ蓄積部（１３）は、トランスポンダ発振回路（１１，１２）がトランシーバ発振回路（２，３）によって励振される間にエネルギ蓄積部（１３）が充電されるように構成されている。さらにトランスポンダ（１０）は時間測定装置（１５）を有し、この時間測定装置（１５）はエネルギ蓄積部（１３）の充電状態の特性を示す期間値（Ｔ＿Ｄ）を求めるために構成されている。
2008509648.tif 000002
【特許請求の範囲】
【請求項１】
トランシーバ・トランスポンダシステムであって、
−トランシーバ発振回路（２，３）を備えたトランシーバ（１）を有し、前記トランシーバ発振回路（２，３）は少なくとも１つの充電期間（Ｔ＿Ｌ）にわたり所定の周波数でもって励振され、
−トランスポンダ発振回路（１１，１２）を備えた少なくとも１つのトランスポンダ（１０）およびエネルギ蓄積部（１３）を有し、前記トランスポンダ発振回路（１１，１２）が前記トランシーバ発振回路（２，３）によって励振される間に前記エネルギ蓄積部（１３）が充電される、トランシーバ・トランスポンダシステムにおいて、
前記トランスポンダ（１０）は時間測定装置（１５）を有し、該時間測定装置（１５）は前記エネルギ蓄積部（１３）の充電状態の特性を示す期間値（Ｔ＿Ｄ）を求めることを特徴とする、トランシーバ・トランスポンダシステム。
【請求項２】
前記トランスポンダ（１０）は前記期間値（Ｔ＿Ｄ）を前記トランシーバ（１）に伝送し、前記トランシーバ（１）は伝送された前記期間値（Ｔ＿Ｄ）を評価する、請求項１記載のトランシーバ・トランスポンダシステム。
【請求項３】
前記トランシーバ（１）は伝送された前記期間値（Ｔ＿Ｄ）に依存して少なくとも１つの充電パラメータを変更する、請求項２記載のトランシーバ・トランスポンダシステム。
【請求項４】
充電パラメータは充電期間（Ｔ＿Ｌ）である、請求項３記載のトランシーバ・トランスポンダシステム。
【請求項５】
充電パラメータは所定の周波数である、請求項３または４記載のトランシーバ・トランスポンダシステム。
【請求項６】
前記トランスポンダ（１０）は温度を検出し、該温度を前記トランシーバ（１）に伝送し、前記トランシーバ（１）は伝送された前記温度を評価し、伝送された前記期間値（Ｔ＿Ｄ）および伝送された前記温度に依存して少なくとも１つの充電パラメータを変更する、請求項２から５までのいずれか１項記載のトランシーバ・トランスポンダシステム。
【請求項７】
前記トランシーバ（１）は、伝送された前記温度が該伝送よりも前に伝送された温度よりも高い場合に前記所定の周波数を下げ、伝送された前記温度が該伝送よりも前に伝送された温度よりも低い場合には前記所定の周波数を上げる、請求項６記載のトランシーバ・トランスポンダシステム。
【請求項８】
前記トランスポンダ（１０）は前記エネルギ蓄積部（１３）の充電状態に依存して前記時間測定装置（１５）を始動させる、請求項１から７までのいずれか１項記載のトランシーバ・トランスポンダシステム。
【請求項９】
前記トランスポンダ（１０）は、前記トランシーバ（１）により前記エネルギ蓄積部（１３）の充電が終了されると、前記時間測定装置（１５）を停止させる、請求項８記載のトランシーバ・トランスポンダシステム。
【請求項１０】
前記トランスポンダ（１０）は、前記トランシーバ（１）がメッセージを前記トランスポンダ（１０）に伝送した後に、前記時間測定装置（１５）を停止させる、請求項８記載のトランシーバ・トランスポンダシステム。
【発明の詳細な説明】
【技術分野】
【０００１】
本発明は、トランシーバ発振回路を備えたトランシーバと、トランスポンダ発振回路を備えたトランスポンダと、エネルギ蓄積部とを包含し、トランスポンダ発振回路がトランシーバ発振回路によって励起される間にエネルギ蓄積部がトランスポンダにおいて充電されるように構成されている、トランシーバ・トランスポンダシステムに関する。
【０００２】
トランシーバ発振回路およびトランスポンダ発振回路は、エネルギ信号およびデータ信号を伝送するために相互に誘導的に結合されている。トランスポンダ内のエネルギ蓄積部を充電するために必要とされる時間は、トランシーバとトランスポンダの相互の空間的な配置構成、トランシーバ発振回路および／またはトランスポンダ発振回路を励振させる励起周波数、トランシーバ発振回路およびトランスポンダ発振回路の共振周波数ならびにトランシーバ発振回路およびトランスポンダ発振回路のＱに依存する。
【０００３】
エネルギ信号およびデータ信号の効率的な伝送は、トランシーバ発振回路およびトランスポンダ発振回路が同一の共振周波数を有し、それぞれが共振周波数に等しい励起周波数でもって励振されることを必要とする。しかしながら構成素子の製造公差および温度の影響に基づき、トランシーバ発振回路およびトランスポンダ発振回路の共振周波数と励起周波数が相互に偏差する可能性がある。
【０００４】
DE 195 46 171 C1には、自動車内に配置されているトランシーバと携帯可能なトランスポンダとを有する自動車用の盗難防止システムが開示されている。トランシーバ発振回路は発振器によって所定の周波数でもって励振され、これによりエネルギ信号がその所定の周波数でもってトランスポンダに伝送される。トランスポンダのエネルギ蓄積部はトランシーバのエネルギ信号によって充電される。続いてトランスポンダがデータ信号をトランスポンダ発振回路の共振周波数でもってトランシーバに伝送する。トランシーバは周波数カウンタを有し、この周波数カウンタにはデータ信号が供給され、トランスポンダ発振回路の共振周波数が検出される。周波数カウンタおよび発振器と接続されている、トランシーバ内の制御ユニットは、トランシーバ発振回路がトランスポンダ発振回路の測定された共振周波数とほぼ一致する周波数で励振されるように発振器を制御する。
【０００５】
EP 0 840 832 B1には、第１の発振回路の一部であるアンテナを備えた固定して配置されているユニットと、第２の発振回路の一部であるコイルを備えた携帯可能なユニットと、エネルギ蓄積部を有する、自動車用の盗難防止システムが開示されている。第１の発振回路は発振器によって発振器周波数でもって励振される。エネルギ信号をアンテナからコイルに誘導的に伝送するために、所定の第１の期間にわたり、励起周波数が所定の周波数領域内で変化し、これによって携帯可能なユニットのエネルギ蓄積部は少なくとも部分的に充電される。
【０００６】
トランシーバはトランスポンダにおけるエネルギ蓄積部の充電状態に関する情報を有していないので、エネルギ蓄積部はトランシーバとトランスポンダが良好に結合されている場合には必要以上に充電される。
【０００７】
本発明の課題は、エネルギ蓄積部の充電状態を簡単に求めることができる、トランシーバ・トランスポンダシステムを提供することである。
【０００８】
この課題は独立請求項に記載されている特徴により解決される。本発明の有利な実施形態は従属請求項に記載されている。
【０００９】
本発明は、トランシーバ・トランスポンダシステムがトランシーバ発振回路を備えたトランシーバと、トランスポンダ発振回路を備えた少なくとも１つのトランスポンダと、エネルギ蓄積部とを包含することを特徴とする。トランシーバおよびトランシーバ発振回路は、トランシーバ発振回路が少なくとも１つの充電期間にわたり所定の周波数でもって励振されるように構成されている。トランスポンダ、トランスポンダ発振回路およびエネルギ蓄積部は、トランスポンダ発振回路がトランシーバ発振回路によって励振される間にエネルギ蓄積部が充電されるように構成されている。
【００１０】
トランスポンダは時間測定装置を有し、この時間測定装置はエネルギ蓄積部の充電状態の特性を表す期間値を求めるために構成されている。既知の充電期間および期間値から、充電期間内のどの時点においてエネルギ蓄積部が所定の充電状態に達するかを求めることができる。エネルギ蓄積部が充電期間内の早い時点においてこの所定の充電状態に達する場合には、トランシーバとトランスポンダが良好に結合しており、多くのエネルギを短時間でトランシーバからトランスポンダに伝達することができる。しかしながらエネルギ蓄積部が充電期間内の遅い時点において所定の充電状態に達する場合には、トランシーバとトランスポンダは良好に結合しておらず、短時間では僅かなエネルギしかトランシーバからトランスポンダに伝達することができない。
【００１１】
時間測定装置は、所定のカウンタ周波数でもってクロック制御される簡単なカウンタとして構成することができる。トランスポンダがマイクロコントローラを有する場合には、トランスポンダはカウンタの機能を実施することもできる。この場合にはトランスポンダにおいてカウンタのための付加的な回路を省略することができる。これにより時間測定装置は非常に簡単且つ廉価なものである。さらには付加的な構成素子を省略することによって、付加的なエネルギ消費が回避される。
【００１２】
トランシーバ・トランスポンダシステムの有利な実施形態においては、トランスポンダは期間値をトランシーバに伝送するために構成されており、トランシーバは伝送された期間値を評価するために構成されている。このようにしてトランシーバにトランスポンダ内のエネルギ蓄積部の充電状態が知らされる。トランスポンダ内のエネルギ蓄積部の充電状態に関する情報を例えば、トランシーバとトランスポンダとの間の結合を改善し、トランシーバとトランスポンダとの間の距離またはトランシーバおよびトランスポンダの空間的な指向性を相互に評価するために使用することができる。
【００１３】
さらにはトランスポンダ内のエネルギ蓄積部の充電状態に関する情報を、トランシーバまたはトランスポンダのアンテナの位置を評価するために使用することができる。例えばアンテナが例えば金属の非常に近く、例えば１〜２ｃｍの間隔で位置する場合には、これによりトランシーバとトランスポンダとの間の結合が劣化するほど磁束線の経過に大きく影響が及ぼされる可能性がある。この効果は「Close-to-Metal」作用とも称される。
【００１４】
さらには、トランシーバ発振回路の振動周波数のトランスポンダ発振回路の共振周波数への適合を評価することも可能である。殊にこのことを、例えば温度変化に起因するトランスポンダ発振回路の共振周波数の変化をトランシーバ発振回路の振動周波数の相応の補正によって補償調整するために使用することができる。つまり周辺条件が変化した場合でもトランスポンダのエネルギ蓄積部を確実に充電することができる。
【００１５】
これに関連して、伝送された期間値に依存して少なくとも１つの充電パラメータを変更するためにトランシーバが構成されている場合には有利である。これによって、トランスポンダのエネルギ蓄積部が確実に充電されるので、周辺条件が変化した場合であってもトランシーバ・トランスポンダシステムの機能を保証することができる。さらには、トランスポンダの動作に必要とされるエネルギよりも多くのエネルギがトランシーバからトランスポンダに伝達されることを回避することができる。つまりエネルギの伝達が効率的且つ節約的に行われる。
【００１６】
この関係において、充電パラメータが所定の期間である場合には有利である。このことは、トランスポンダ内のエネルギ蓄積部を可能な限り短時間で充電することができるという利点を有する。しかしながらそれと同時に、トランスポンダの動作に必要とされるエネルギ量をトランスポンダにおいて使用できるほどの長さでトランスポンダが充電されることを保証することができる。トランシーバとトランスポンダとの間の結合が良好である場合には充電期間を短くすることができる。このことはトランシーバによるトランスポンダのより高い問い合わせ周波数を実現する。さらには充電期間が短ければトランシーバはエネルギを節約する。充電期間は非常に簡単に変更することができる充電パラメータである。
【００１７】
択一的または付加的に、充電パラメータが所定の周波数である場合には有利である。トランシーバ発振回路の振動周波数をトランスポンダ発振回路の共振周波数に適合させることによって、トランシーバとトランスポンダとの間の結合が改善され、その結果例えば充電期間を短縮することができる。さらにはこれによってトランシーバによるトランスポンダの問い合わせ周波数をより高くすることができる。さらには、トランシーバ発振回路の共振周波数およびトランスポンダ発振回路の共振周波数の温度に依存した変化を補償調整し、これらの共振周波数を相互に適合させることができる。
【００１８】
トランシーバ・トランスポンダシステムの有利な実施形態においては、トランスポンダが温度を検出するため、またトランシーバに温度を伝送するために構成されている。トランシーバは伝送された温度を評価し、少なくとも１つの充電パラメータを伝送された期間値および伝送された温度に依存して変更するために構成されている。伝送された温度を、トランスポンダ発振回路の共振周波数の温度に依存する変化を所期のように、すなわち求められた温度を考慮して補償調整するために使用することができる。
【００１９】
トランシーバ・トランスポンダシステムのさらに有利な実施形態においては、伝送された温度がそれよりも前に伝送された温度よりも高い場合に所定の周波数を下げ、伝送された温度がそれよりも前に伝送された温度よりも低い場合には所定の周波数を上げるために構成されている。これによって、温度変化の向きに依存して所定の周波数をトランスポンダ発振回路の共振周波数に所期のように適合させることができる。有利には、共振周波数の変化の向きを確認できるようにするために、種々の周波数を検査する必要はない。
【００２０】
トランシーバ・トランスポンダシステムの別の有利な実施形態においては、トランスポンダがエネルギ蓄積部の充電状態に依存して時間測定装置を始動させるために構成されている。つまり例えば、エネルギ蓄積部の充電状態が所定の最小値または閾値を上回ると簡単にリセット信号をトリガすることができる。トランスポンダの制御ユニットを所定の出力状態に移行させ、時間測定装置を始動させるためにこのリセット信号を使用することができる。
【００２１】
この関係において、トランシーバによるエネルギ蓄積部の充電が終了したときに時間測定装置を停止するためにトランスポンダが構成されている場合には有利である。このことはトランスポンダからのエネルギ信号の伝送の終了を非常に簡単に検出することができるという利点を有する。択一的に、トランシーバがメッセージをトランスポンダに伝送した後に時間測定装置を停止するようトランスポンダを構成することができる。これによってトランシーバはエネルギ信号の伝送に依存せずに、トランスポンダがどの時点において時間測定装置を停止させるかを設定することができる。
【００２２】
以下では本発明の実施例を概略的な図面に基づき詳細に説明する。ここで、
図１は、トランシーバ・トランスポンダシステムを示し、
図２は、発振回路の共振曲線を示し、
図３は、電圧・時間グラフを示し、
図４は、フローチャートを示す。
【００２３】
同一の構造または機能を有する要素には図面を通して同一の参照番号を付している。
【００２４】
図１は、トランシーバ発振回路２，３を形成する第１のコンデンサ２およびアンテナ３と、電力増幅器５および受信増幅器６を包含する増幅ユニット４と、発振器７と、復調器８と、トランシーバ制御ユニット９とを備えたトランシーバ１を有するトランシーバ・トランスポンダシステムを示す。トランシーバ制御ユニット９は、トランシーバ発振回路２，３が励起周波数ｆ＿Ｅでもって励振されるように発振器７を制御する。電力増幅器５によって、トランスポンダ発振回路１１，１２を形成する第２のコンデンサ１１およびコイル１２を備えたトランスポンダ１０にエネルギを供給できるよう振動が増幅される。
【００２５】
トランシーバ１からトランスポンダ１０へのエネルギの伝達は例えば、トランシーバ発振回路２，３とトランスポンダ発振回路１１，１２の誘導結合により行われる。トランスポンダ１０はさらにエネルギ蓄積部１３を包含する。エネルギ蓄積部１３は、トランスポンダ発振回路１１，１２に入力結合され、このエネルギ蓄積部１３に供給される電気エネルギにより充電される。エネルギ蓄積部１３は例えばコンデンサまたは他の蓄電池である。
【００２６】
さらにトランスポンダ１０は時間測定装置１５を備えたトランスポンダ制御ユニット１４を包含する。トランスポンダ制御ユニット１４は例えば状態マシンまたはマイクロコントローラであり、また有利には集積回路として構成されている。トランスポンダ制御ユニット１４にはエネルギ蓄積部１３によってエネルギが供給される。
【００２７】
図２には、トランシーバ発振回路またはトランスポンダ発振回路の振動の強度、すなわち電界強度または振幅が周波数ｆに関してプロットされている共振曲線が示されている（実線で示されている共振曲線）。発振回路の動作点Ｐ＿ｉは励起周波数ｆ＿Ｅに依存する。動作点Ｐ＿０において励起周波数ｆ＿Ｅが共振周波数ｆ＿Ｒと等しくなると最大強度Ｉに達する。動作点Ｐ＿０においてはより多くのエネルギを短時間で伝達することができ、したがってトランスポンダ内のエネルギ蓄積部を迅速に充電することができる。
【００２８】
しかしながら励起周波数ｆ＿Ｅが共振周波数ｆ＿Ｒから偏差すると、強度Ｉは低下し、エネルギ伝達の効率も低下する。このことが動作点Ｐ＿１およびＰ＿２によって表されている。強度が出力限界１７を下回る程に励起周波数ｆ＿Ｅが共振周波数ｆ＿Ｒから偏差すると、トランスポンダ１０内のエネルギ蓄積部を確実に充電するために十分なエネルギをトランシーバ１からトランスポンダ１０に伝達することはもはや不可能である。
【００２９】
トランシーバ発振回路２，３またはトランスポンダ発振回路１１，１２のＱが大きい場合には（点線で示されている共振曲線）、動作点Ｐ＿０においてより高い強度Ｉに達し、より多くのエネルギを短時間で伝達することができる。しかしながら強度Ｉは動作点Ｐ＿１およびＰ＿２においては、Ｑが低い発振回路の共振曲線（実線で示された共振曲線）における強度よりも大きく低下する。発振回路の高いＱはトランシーバ１とトランスポンダ１０との間のより良好な結合、またより長い距離にわたるエネルギの伝達を実現する。しかしながら動作点Ｐ＿０は適切に調節されなければならない。
【００３０】
図３は充電電圧Ｕ＿Ｌとリセット電圧Ｕ＿Ｒの時間的な経過が表されている電圧・時間グラフを示す。充電電圧Ｕ＿Ｌはエネルギ蓄積部１３の充電状態の特性を示すものである。リセット電圧Ｕ＿Ｒを例えば、トランスポンダ制御ユニット１４を所定の出力状態に移行させる、および／または、時間測定装置１５を起動させるために使用することができる。
【００３１】
動作点ｔ＿０ではトランスポンダ発振回路１１，１２がトランシーバ発振回路２，３によって励振され、エネルギがトランシーバ１からトランスポンダ１０に伝達される。伝達されたエネルギはエネルギ蓄積部１３に蓄積され、これによって充電電圧Ｕ＿Ｌが高まる。充電電圧Ｕ＿Ｌが高ければ高いほど、より多くのエネルギがエネルギ蓄積部１３に蓄積されている。充電電圧Ｕ＿Ｌの図示していない飽和限界までの上昇は線形ではない。
【００３２】
時点ｔ＿１においては充電電圧Ｕ＿Ｌが閾値電圧Ｕ＿Ｓよりも大きいか、それに等しい。したがって時点ｔ＿１においてはリセット電圧Ｕ＿Ｒが飛躍的に上昇する。このことは例えば簡単な閾値スイッチによって達成され、この閾値スイッチは閾値電圧Ｕ＿Ｓに相当する電位差に依存して電気回路を開閉する。例えば２Ｖまたは３Ｖである閾値電圧Ｕ＿Ｓは、所定のプログラムステップを実行できるようにするためにトランスポンダ制御ユニット１４内の電子回路またはマイクロコントローラが必要とする最小電圧でよい。
【００３３】
時点ｔ＿２においてはトランシーバ１がエネルギ蓄積部１３を充電するためのエネルギ信号の送信を終了する。時点ｔ＿２以降にトランスポンダ１０はデータ信号をトランシーバ１に伝送する。
【００３４】
充電期間Ｔ＿Ｌは時点ｔ＿０から時点ｔ＿２までの期間、すなわちエネルギ信号がトランシーバ１によって形成されてトランスポンダ１０に伝送される期間として定義されている。期間値Ｔ＿Ｄは時点ｔ＿１から時点ｔ＿２までの期間、すなわち充電電圧Ｕ＿Ｌが閾値電圧Ｕ＿Ｓよりも高いか、それに等しい時点からトランシーバ１によるエネルギ信号の送信が終了するまでの期間として定義されている。
【００３５】
充電期間Ｔ＿Ｌおよび期間値Ｔ＿Ｄから時点ｔ＿１を非常に簡単に求めることができる時点ｔ＿１は期間値Ｔ＿Ｄを差し引いた時点ｔ＿０と充電期間Ｔ＿Ｌの和に等しい。時点ｔ＿０から時点ｔ＿１までの期間が短い場合には、充電電圧Ｕ＿Ｌの曲線の勾配は急峻であり、エネルギ蓄積部１３は迅速に充電される。しかしながら時点ｔ＿０から時点ｔ＿１までの期間が長い場合には、充電電圧Ｕ＿Ｌの曲線は緩やかであり、エネルギ蓄積部１３は緩慢にしか充電されない。期間値Ｔ＿Ｄが大きい場合には、エネルギ蓄積部１３は良好に充電されている。しかしながら期間値Ｔ＿Ｄが小さい場合には、電子回路またはマイクロコントローラを始動させるために少なくとも必要とされるエネルギよりも少ないエネルギしかエネルギ蓄積部１３には蓄積されない。したがって期間値Ｔ＿Ｄはトランスポンダ１０内のエネルギ蓄積部１３の充電状態の特性を示す。
【００３６】
時点ｔ＿１以降には充電電圧Ｕ＿Ｌの曲線が折れ曲がり、緩やかな経過を取る。このことは、電子回路またはマイクロコントローラの始動、またこれに伴うエネルギ蓄積部１３の放電に起因する可能性がある。
【００３７】
時間測定装置１５はエネルギ蓄積部１３の充電状態の特性を示す期間値Ｔ＿Ｄを求めるために構成されている。求められた期間値Ｔ＿Ｄを例えば、トランシーバ発振回路２，３とトランスポンダ発振回路１１，１２との間の結合を評価および改善するために利用することができる。例えば、トランスポンダ制御ユニット１４は期間値Ｔ＿Ｄをトランスポンダ発振回路１１，１２を用いてトランシーバ１に伝送することができる。トランスポンダ１０のデータ信号は受信増幅器６において増幅され、復調器８によって復調され、トランシーバ制御ユニット９に供給される。
【００３８】
トランシーバ制御ユニット９は伝送された期間値Ｔ＿Ｄを評価するために構成されている。トランシーバ制御ユニット９は例えば制御線路１６を介して、トランシーバ発振回路２，３がトランスポンダ発振回路１１，１２の共振周波数に近い周波数で振動するように発振器７または増幅ユニット４を制御することができる。つまり、トランシーバとトランスポンダとの間の結合を改善することができる。さらには、トランスポンダ１０によって必要とされるだけの量のエネルギがトランスポンダに伝達されるように充電期間を調節することができる。このために例えば増幅ユニット４内の電力増幅器５が期間Ｔ＿Ｌの間のみ起動される。期間Ｔ＿Ｌは有利には、求められた期間値Ｔ＿Ｄが所定の期間領域内にあるように選択される。さらには制御線路１６を、電力増幅器５によるエネルギ信号の増幅と受信増幅器６によるトランスポンダ１０からのデータ信号の増幅を切り換えるために使用することができる。
【００３９】
図４は、充電パラメータをトランシーバ１においてトランシーバ１とトランスポンダ１０の実際の結合に適合させるためにトランシーバ１およびトランスポンダ１０において実施されるプログラムの複数のステップを有するフローチャートを示す。トランシーバ１はステップＳ１において始動され、このステップＳ１においては例えば目下の充電パラメータ、すなわち励起周波数ｆ＿Ｅおよび充電期間Ｔ＿Ｌがメモリから呼び出される。ステップＳ２においては、発振器７が励起周波数ｆ＿Ｅでもって振動され、この振動が電力増幅器５によって増幅されることによってエネルギ信号が形成される。エネルギ信号は例えば数１０ワット、例えば３０ワットの電力を有する。
【００４０】
ステップＳ３においては、充電期間Ｔ＿Ｌが終了しているか否かが検査される。エネルギ信号が充電期間Ｔ＿Ｌにわたり形成された後には、ステップＳ４においてエネルギ信号の形成が終了する。続いてステップＳ５において受信増幅器６が起動され、トランスポンダ１０のデータ信号が増幅され、復調器８において復調される。ステップＳ６においては復調されたデータ信号がトランシーバ制御ユニット９において評価される。殊に、トランスポンダ１０から伝送された期間値Ｔ＿Ｄが評価され、ステップＳ７において充電パラメータ、すなわち例えば充電期間Ｔ＿Ｌおよび励起周波数ｆ＿Ｅが必要に応じて適合される。トランシーバ１のプログラムの実行はステップＳ８において終了し、またこのプログラムを待機時間Ｔ＿Ｗの経過後にステップＳ１において新たに実施することができる。この場合ステップＳ１においては、適合された充電パラメータがエネルギ信号の形成のために使用される。
【００４１】
トランスポンダ１０のフローチャートはステップ９において開始される。ステップＳ１０においては、トランシーバ１からトランスポンダ発振回路１１，１２に入力結合されるエネルギによってエネルギ蓄積部１３が充電される。ステップＳ１１においては、充電電圧Ｕ＿Ｌが閾値電圧Ｕ＿Ｓよりも高いか、等しいかが検査される。この条件が満たされている場合には、続いてステップＳ１２において期間値Ｔ＿Ｄを求めるカウンタが初期化され始動される。ステップＳ１３においては、トランシーバ１からのエネルギ信号の伝送が終了しているか否かが検査される。期間値Ｔ＿Ｄを求めるためのカウンタが所定の間隔をおいて増分される。ステップＳ１３における条件が満たされている場合には、ステップＳ１４においてトランスポンダが求められた期間値Ｔ＿Ｄ、また必要に応じて別のデータをデータ信号を用いてトランシーバ１に伝送する。ステップＳ１５においてエネルギ蓄積部１３が放電されると充電電圧Ｕ＿Ｌが所定の最小値を取り、これによりステップＳ１０においてトランスポンダを新たに充電する際には、期間値Ｔ＿Ｄを求めるための所定の出発条件が設定されている。ステップＳ１５における放電過程が終了すると、フローチャートがステップＳ１６において終了する。
【００４２】
トランシーバ１を、例えばメッセージまたは符号語の形でトランスポンダ１０にデータ信号を伝送するために構成することができる。トランシーバ１からトランスポンダ１０へのデータ信号の伝送を、トランシーバ制御ユニット９が制御線路１６を介して増幅ユニット４における電力増幅器５を時間的な順序で、トランシーバ発振回路２，３の振動の振幅が符号化されたメッセージまたは符号語に応じて変調されるようにオン・オフすることによって非常に簡単に達成することができる。そのようにして伝送されたメッセージまたは符号語を例えば、トランスポンダ制御ユニット１４における時間測定装置１５を制御するため、例えば停止するために利用することもできる。
【００４３】
さらには、例えば、充電電圧Ｕ＿Ｌが閾値電圧Ｕ＿Ｓよりも高い別の所定の閾値電圧よりも高いか等しい場合に、時間測定装置１５を停止することができる。この場合においては期間値Ｔ＿Ｄを閾値電圧Ｕ＿Ｓへの到達から別の所定の閾値電圧への到達までの期間に依存して求めることができる。
【００４４】
例えばトランスポンダ発振回路１１，１２の共振周波数をトランシーバ１の励起周波数ｆ＿Ｅに適合させるために、トランスポンダ１０が求められた期間値Ｔ＿Ｄを使用する。
【００４５】
トランシーバ・トランスポンダシステムを例えば自動車の車輪におけるタイヤ圧を監視するために使用することができる。トランスポンダ１０は車輪の輪縁またはタイヤ内に配置されており、タイヤの圧力を検出するための圧力センサ、また有利にはタイヤ内の温度を検出するための温度センサを包含する。トランスポンダ発振回路１１，１２の共振周波数は温度に依存するので、温度センサを用いて求められた温度を例えば、トランスポンダ発振回路１１，１２の励起周波数ｆ＿Ｅおよび共振周波数ｆ＿Ｒを相互に適合させるために使用することができる。有利には求められた圧力、求められた温度および求められた期間値Ｔ＿Ｄがトランシーバ１に伝送される。
【図面の簡単な説明】
【００４６】
【図１】トランシーバ・トランスポンダシステム。
【図２】発振回路の共振曲線。
【図３】電圧・時間グラフ。
【図４】フローチャート。
【図１】
2008509648.tif 000003
【図２】
2008509648.tif 000004
【図３】
2008509648.tif 000005
【図４】
2008509648.tif 000006
【国際調査報告】
2008509648.tif 000007
2008509648.tif 000008
2008509648.tif 000009
2008509648.tif 000010